(57)【要約】      （修正有）【課題】均一な面発光装置が備え付けられているうちわを提供する。【解決手段】うちわであって、電池を収納する電池収納部を備える本体部１０と、前記本体部１０に取り付けられ、全部又は一部が光を透過するように透明又は半透明であり、面発光する平板形状の導光シートからなる面発光部２０と、前記本体部に取り付けられ、前記面発光部の側面に沿うように設置され、前記電池から電力の供給を受けて発光する一又は複数の面発光部２０と、前記面発光部の裏面に取り付けられ、前記面発光部２０から受けた光を反射する複数のドットからなるドットパターンと、前記本体部又は前記面発光部に設けられ、使用者が把持するための把持部５０とからなり、前記ドットは、前記面発光部に蛍光インキ、発光インキ及び蓄光インキから選択されるいずれか１のインキが印刷されて取り付けられている。【選択図】図１
2016165460.tif 000002
【特許請求の範囲】
【請求項１】
うちわであって、
電池を収納する電池収納部を備える本体部（１０）と、
前記本体部（１０）に取り付けられ、全部又は一部が光を透過するように透明又は半透明であり、面発光する平板形状の導光シートからなる一又は複数の面発光部（２０）と、
前記本体部に取り付けられ、前記面発光部の側面に沿うように設置され、前記電池から電力の供給を受けて発光する一又は複数の光源（３０、１３０）と、
前記面発光部の裏面に取り付けられ、前記光源（３０、１３０）から受けた光を反射する複数のドット（４１）からなるドットパターン（４０）と、
前記本体部又は前記面発光部に設けられ、使用者が把持するための把持部（５０）とからなり、
前記ドット（４１）は、前記面発光部に蛍光インキ、発光インキ及び蓄光インキから選択されるいずれか１のインキが印刷されて取り付けられている
ことを特徴とするうちわ。
【請求項２】
うちわであって、
電池を収納する電池収納部を備える本体部（４１０）と、
前記本体部（４１０）に取り付けられ、全部又は一部が光を透過するように透明又は半透明であり、面発光する平板形状の導光シートからなる一又は複数の面発光部（４２０）と、
前記面発光部の裏面側に設置され、前記電池から電力の供給を受けて発光する一又は複数の光源（４３０）と、
前記光源の表面側に設置され、前記光源から発光された光を遮る遮光部が形成された遮光シート（４７０）と、
前記面発光部の裏面に取り付けられ、前記光源から受けた光を反射する複数のドットからなるドットパターンと、
前記本体部又は前記面発光部に設けられ、使用者が把持するための把持部とからなり、
前記ドットは、前記面発光部に蛍光インキ、発光インキ及び蓄光インキから選択されるいずれか１のインキが印刷されて取り付けられている
ことを特徴とするうちわ。
【請求項３】
請求項２に記載されたうちわであって、
前記遮光部は、
前記光源が設置された位置に合わせて形成され、前記光源から離れるに従い次第に光を遮る面積が狭く形成されている
ことを特徴とするうちわ。
【請求項４】
請求項１〜３のいずれか１項に記載されたうちわであって、
前記面発光部は、前記本体部に対して着脱自在に取り付けられている
ことを特徴とするうちわ。
【請求項５】
請求項４に記載されたうちわであって、
前記光源は、可視光を発光する可視光光源及び／又は不可視光を発光する不可視光光源である
ことを特徴とするうちわ。
【請求項６】
請求項５に記載されたうちわであって、
前記ドットは、前記蛍光インキ、前記発光インキ及び前記蓄光インキから選択されるいずれか１の前記インキで形成された接続部で繋げられている
ことを特徴とするうちわ。
【請求項７】
請求項６に記載されたうちわであって、
前記面発光部には、絵画、写真、図形、記号、文字及びキャラクターから選択される１種以上を含む模様が施された模様部（６０）が設けられている
ことを特徴とするうちわ。
【請求項８】
請求項７に記載されたうちわであって、
前記模様（６１）は、前記面発光部の表面にスクリーン印刷、フレキソ印刷、インクジェット印刷、グラビア印刷、オフセット印刷から選択されるいずれか１の印刷方法で印刷されて形成されている
ことを特徴とするうちわ。
【請求項９】
請求項７に記載されたうちわであって、
前記模様（６２、６３）は、前記面発光部に着脱自在であるシート、シール、ステッカー、ラベル、及びデカールから選択されるいずれか１に印刷されている
ことを特徴とするうちわ。
【請求項１０】
請求項７に記載されたうちわであって、
前記模様は、前記面発光部の表面を彫り刻んで形成されている
ことを特徴とするうちわ。
【請求項１１】
請求項７に記載されたうちわであって、
前記模様は、前記面発光部の表面を腐食して形成されている
ことを特徴とするうちわ。
【請求項１２】
請求項１〜１１のいずれか１項に記載されたうちわであって、
前記面発光部の裏面には、前記面発光部の裏面から漏れる光を前記面発光部側に反射する反射シート（７０）が設置されている
ことを特徴とするうちわ。
【請求項１３】
請求項１２に記載されたうちわであって、
前記面発光部の表面には、前記面発光部から照射される光を集光する一又は複数の集光シート（８０）が設置されている
ことを特徴とするうちわ。
【請求項１４】
請求項１３に記載されたうちわであって、
前記面発光部と前記集光シートとの間には、前記面発光部（２０）から照射される光を拡散させて、光の均一性を向上させる拡散シート（９０）が設置されている
ことを特徴とするうちわ。
【請求項１５】
請求項１〜１４のいずれか１項に記載されたうちわであって、
前記光源の発光の状態を制御する一又は複数の発光パターンが記録される記憶部（１００）と、
前記記憶部から前記発光パターンを読み出し、前記光源に対して読み出した前記発光パターンに対応する発光指示を行なう制御部（２００）とを備える
ことを特徴とするうちわ。
【請求項１６】
請求項１５に記載されたうちわであって、
前記発光パターンは、前記光源の点灯、前記光源の消灯、前記光源の点滅、前記光源の発光色の変更及び前記光源の輝度の変更から選択される少なくとも一つである
ことを特徴とするうちわ。
【発明の詳細な説明】
【技術分野】
【０００１】
本発明は、うちわに関する。さらに詳しくは、面発光部が備え付けられているうちわに関する。
【背景技術】
【０００２】
うちわは、一般的には扇部と手でそれを支持するための柄を備えており、あおいで風を起こす道具である。うちわには、柄がなく扇部の端のくり抜いた部分に指を入れて用いる穴開きのものもある。うちわの扇部には、絵画、写真、図形、記号、文字及びキャラクターその他の模様が記載又は現わされている。例えば、アニメや漫画のキャラクターが記載されているものや、プロスポーツ選手、タレント、アイドル、女優又は男優等の写真が現わされているものがある。
【０００３】
しかし、これらのうちわは、暗中ではこれらの模様が見え難くなる。そこで、近年、うちわに発光機能を与えて、それを持つ人の存在を際立たせ、模様を暗中でも見えるようにする発光うちわが提案されている。このような発光うちわは、夜間に行われる祭り、盆踊り、花火大会、野外コンサート、野球大会等、その他のイベントで使用すると、会場の雰囲気を盛り上げることができる。このように、うちわには様々な提案がなされているが、特許文献を基に従来の技術を説明する。
【０００４】
例えば、発光が美しく、光演出効果に優れ、パターン表示も可能で、製造コストを低く抑えることができるうちわ状発光体の技術が知られている（特許文献１参照）。圧電振動ユニットが壊れにくく、視覚的な美しさの演出効果を出すことのできる圧電発光応援グッズの技術が知られている（特許文献２参照）。
【０００５】
また、うちわに描かれた文字や図形を発光させ、昼夜にかかわらず表示された文字や図形を美しく読み取り可能にし、製造コストも抑えるうちわの技術が知られている（特許文献３参照）。さらに、うちわ本体の構造が単純で、そのうちわ本体に設ける発光箇所、発光色、発光表示内容等を選択し易く、製品が安価な発光うちわ並びにその製造方法の技術が知られている（特許文献４参照）。
【先行技術文献】
【特許文献】
【０００６】
【特許文献１】特開２００４−７３８６０号公報
【特許文献２】特開２００４−３５８０５４号公報
【特許文献３】特開２００８−１２６０５２号公報
【特許文献４】特開２００５−１４３８２１号公報
【発明の概要】
【発明が解決しようとする課題】
【０００７】
しかし、特許文献１に記載されたうちわは、ＬＥＤ光源の発する光束は、主に扇体部材１の内部に入射し、各放射骨１ａ内に導かれるため、光が線上であり、発光が単調で面白みに欠けるという問題点があった。特許文献２に記載されたうちわは、発光素子１８から発した光は、透明樹脂である骨１０や要領域１２を通過するだけなので、均一な面発光が得られないという問題点があった。
【０００８】
特許文献３に記載されたうちわは、アクリル板をレーザー加工で彫刻するため、手間とコストがかかるという問題点があった。特許文献４に記載されたうちわは、透明板の表面全体に蛍光色を施しているため、蛍光色が多く用いられるため手間とコストがかかるという問題点があった。
【０００９】
本発明は、以上のような従来の問題点を解決するために創作されたもので、次の目的を達成する。本発明の目的は、意匠性に優れた様々な視覚的表現が面発光するうちわを提供することにある。本発明の他の目的は、構造が簡単で製造工程が少なく、簡便かつ短時間で製造できるうちわを提供することにある。
【課題を解決するための手段】
【００１０】
本発明は、前記目的を達成するために次の手段をとる。
本発明１のうちわは、電池を収納する電池収納部を備える本体部と、前記本体部に取り付けられ、全部又は一部が光を透過するように透明又は半透明であり、面発光する平板形状の導光シートからなる一又は複数の面発光部と、前記本体部に取り付けられ、前記面発光部の側面に沿うように設置され、前記電池から電力の供給を受けて発光する一又は複数の光源と、前記面発光部の裏面に取り付けられ、前記光源から受けた光を反射する複数のドットからなるドットパターンと、前記本体部又は前記面発光部に設けられ、使用者が把持するための把持部とからなり、前記ドットは、前記面発光部に蛍光インキ、発光インキ及び蓄光インキから選択されるいずれか１のインキが印刷されて取り付けられていることを特徴とする。
【００１１】
本発明２のうちわは、電池を収納する電池収納部を備える本体部と、前記本体部に取り付けられ、全部又は一部が光を透過するように透明又は半透明であり、面発光する平板形状の導光シートからなる一又は複数の面発光部と、前記面発光部の裏面側に設置され、前記電池から電力の供給を受けて発光する一又は複数の光源と、前記光源の表面側に設置され、前記光源から発光された光を遮る遮光部が形成された遮光シートと、前記面発光部の裏面に取り付けられ、前記光源から受けた光を反射する複数のドットからなるドットパターンと、前記本体部又は前記面発光部に設けられ、使用者が把持するための把持部とからなり、前記ドットは、前記面発光部に蛍光インキ、発光インキ及び蓄光インキから選択されるいずれか１のインキが印刷されて取り付けられていることを特徴とする。
【００１２】
本発明３のうちわは、本発明の２において、前記遮光部は、前記光源が設置された位置に合わせて形成され、前記光源から離れるに従い次第に光を遮る面積が狭く形成されていることを特徴とする。
【００１３】
本発明４のうちわは、本発明１〜３のいずれかにおいて、前記面発光部は、前記本体部に対して着脱自在に取り付けられていることを特徴とする。
【００１４】
本発明５のうちわは、本発明４において、前記光源は、可視光を発光する可視光光源及び／又は不可視光を発光する不可視光光源であることを特徴とする。
【００１５】
本発明６のうちわは、本発明５において、前記ドットは、前記蛍光インキ、前記発光インキ及び前記蓄光インキから選択されるいずれか１の前記インキで形成された接続部で繋げられていることを特徴とする。
【００１６】
本発明７のうちわは、本発明６において、前記面発光部には、絵画、写真、図形、記号、文字及びキャラクターから選択される１種以上を含む模様が施された模様部が設けられていることを特徴とする。
【００１７】
本発明８のうちわは、本発明７において、前記模様は、前記面発光部の表面にスクリーン印刷、フレキソ印刷、インクジェット印刷、グラビア印刷、オフセット印刷から選択されるいずれか１の印刷方法で印刷されて形成されていることを特徴とする。
【００１８】
本発明９のうちわは、本発明７において、前記模様は、前記面発光部に着脱自在であるシート、シール、ステッカー、ラベル、及びデカールから選択されるいずれか１に印刷されていることを特徴とする。
【００１９】
本発明１０のうちわは、本発明７において、前記模様は、前記面発光部の表面を彫り刻んで形成されていることを特徴とする。
【００２０】
本発明１１のうちわは、本発明７において、前記模様は、前記面発光部の表面を腐食して形成されていることを特徴とする。
【００２１】
本発明１２のうちわは、本発明１〜１１のいずれかにおいて、前記面発光部の裏面には、前記面発光部の裏面から漏れる光を前記面発光部側に反射する反射シートが設置されていることを特徴とする。
【００２２】
本発明１３のうちわは、本発明の１２において、前記面発光部の表面には、前記面発光部から照射される光を集光する一又は複数の集光シートが設置されていることを特徴とする。
【００２３】
本発明１４のうちわは、本発明の１３において、前記面発光部と前記集光シートとの間には、前記面発光部から照射される光を拡散させて、光の均一性を向上させる拡散シートが設置されていることを特徴とする。
【００２４】
本発明１５のうちわは、本発明の１〜１４のいずれかにおいて、前記光源の発光の状態を制御する一又は複数の発光パターンが記録される記憶部と、前記記憶部から前記発光パターンを読み出し、前記光源に対して読み出した前記発光パターンに対応する発光指示を行なう制御部とを備えることを特徴とする。
【００２５】
本発明１６のうちわは、本発明の１５において、前記発光パターンは、前記光源の点灯、前記光源の消灯、前記光源の点滅、前記光源の発光色の変更及び前記光源の輝度の変更から選択される少なくとも一つであることを特徴とする。
【発明の効果】
【００２６】
本発明のうちわは、意匠性に優れた様々な視覚的表現が面発光する。また、本発明のうちわは、構造が簡単で製造工程が少なく、簡便かつ短時間で製造が可能になった。
【図面の簡単な説明】
【００２７】
【図１】図１は、本発明の実施の形態１を適用したうちわ１の正面図である。
【図２】図２は、うちわ１の背面図である。
【図３】図３は、うちわ１を分解した状態を示す断面図である。
【図４】図４は、うちわ１を分解した状態を示す正面図である。
【図５】図５は、図２のＲ１を拡大した状態を示す拡大図である。
【００２８】
【図６】図６は、図５をα−α線で切断した状態を示す断面図である。
【図７】図７は、うちわ１を使用した状態を示す図である。
【図８】図８は、本発明の実施の形態２のうちわ１０１を分解した状態を示す断面図である。
【図９】図９は、本発明の実施の形態３のうちわ２０１を分解した状態を示す断面図である。
【図１０】図１０は、うちわ２０１を使用した状態を示す図である。
【００２９】
【図１１】図１１は、本発明の実施の形態４のうちわ３０１を分解した状態を示す断面図である。
【図１２】図１２は、第一面発光部３２０と第二面発光部３２０’の正面図である。
【図１３】図１３は、第一面発光部３２０と第二面発光部３２０’の背面図である。
【図１４】図１４は、うちわ３０１を使用した状態を示す図である。
【００３０】
【図１５】図１５は、本発明の実施の形態５のうちわ４０１を分解した状態示す断面図である。
【図１６】図１６は、うちわ４０１の基板５３１、面発光部５２０、遮光シート４７０及び交換模様シート４８０を分解した状態を示す図である。
【図１７】図１７は、うちわ５０１の基板５３１、面発光部５２０及び遮光シート５７０を分解した状態を示す図である。
【発明を実施するための形態】
【００３１】
〔本発明の実施の形態１〕
以下、本発明のうちわ１について、図面に基づいて、本発明の実施の形態１として詳細に説明する。図１は、本発明の実施の形態１を適用したうちわ１の正面図である。図２は、うちわ１の背面図である。図３は、うちわ１を分解した状態を示す断面図である。図４は、うちわ１を分解した状態を示す正面図である。図５は、図２のＲ１を拡大した状態を示す拡大図である。図６は、図５をα−α線で切断した状態を示す断面図である。なお、図５及び６は、ドットパターン状態がわかるように、その部分を拡大して記載している。
【００３２】
図１に示すように、矢印Ｕ方向を上方向とし、その逆方向である矢印Ｄ方向を下方向として説明を行う。水平面内で上下方向と直交する一の方向である矢印Ｌ方向を左方向とし、直交する他の方向である矢印Ｒ方向を右方向として説明を行う。図３に示すように、上下方向及び左右方向と直交する前側の方向である矢印Ｆ方向を前方向とし、後側の方向である矢印Ｂ方向を後方向として説明を行う。
【００３３】
図１に示すように、うちわ１は、あおいで風を起こす道具である。図３に示すように、うちわ１は、本体部１０、面発光部２０、ＬＥＤ３０、ドットパターン４０、把持部５０及び模様部６０とから構成されている。なお、うちわ１は、図１に示す側の面を表面とし、図２に示す側の面を裏面として説明をする。
【００３４】
〔本体部１０〕
本体部１０は、他の構成部品をまとめる基礎となる部材である。図３に示すように、本体部１０は、光を透過しないＡＢＳ樹脂で形成され、着脱自在な第一本体１０ｆと第二本体１０ｂとから構成されている。なお、第一本体１０ｆの前方向（矢印Ｆ方向）側の面を外側面とし、後方向（矢印Ｂ方向）側の面を内側面として説明をする。また、第二本体１０ｂの前方向（矢印Ｆ方向）側の面を内側面とし、後方向（矢印Ｂ方向）側の面を外側面として説明をする。
【００３５】
〔第一本体１０ｆ〕
図１に示すように、第一本体１０ｆは、下方向側に突出する円弧とその両端を結ぶ弦で囲まれた弓形に形成されている。第一本体１０ｆの外側面には、ＬＥＤ３０に対して電力の供給と遮断を切り換えるための電源ボタンＢ１が取付られている。図１に示すように、第一本体１０ｆの外側面には、ＬＥＤ３０の制御状態を切り替えるための切替ボタンＢ２が取り付けられている。
【００３６】
図３に示すように、第一本体１０ｆの内側面には、面発光部２０を挟み込むための第一挟持部１１ｆと、ＬＥＤ３０が設置された基板３１を載置するための第一載置部１２ｆとを有する。第一挟持部１１ｆは、薄い平板で形成されており、第一載置部１２ｆの上面の前方向側に位置するように、第一載置部１２ｆと一体に形成されている。図４に示すように、第一挟持部１１ｆの内側面は、記憶部１００、制御部２００が取り付けられ、ボタン電池ＢＢを収納すための電池収納部１４が形成されている。
【００３７】
図３に示すように、第一挟持部１１ｆには、第二本体１０ｂの係合穴１３ｈと係合し、面発光部２０の貫通孔２３に挿通するための係合突起１３ｆが形成されている。係合突起１３ｆは、第一挟持部１１ｆの内側面から後方向（矢印Ｂ方向）に突出するように形成された円筒形形状の突起である。図４に示すように、係合突起１３ｆは、面発光部２０の貫通孔２３と、第二本体１０ｂの係合穴１３ｈに対応する位置に合わせて、所定の間隔で５つ形成されている。
【００３８】
本例において、係合突起１３ｆは、係合穴１３ｈの深さと貫通孔２３の深さを足した長さである。図３に示すように、第一載置部１２ｆは、第一挟持部１１ｆより肉厚の平板で形成されており、第一挟持部１１ｆと一体に形成されている。第一載置部１２ｆは、その上面に基板３１が載置され接着剤等で固定されている。
【００３９】
〔第二本体１０ｂ〕
図２に示すように、第二本体１０ｂは、下方向側に突出する円弧とその両端を結ぶ弦で囲まれた弓形に形成されている。図３に示すように、第二本体１０ｂの内側面には、面発光部２０を挟み込むための第二挟持部１１ｂと、ＬＥＤ３０が設置された基板３１を載置するための第二載置部１２ｂとを有する。第二挟持部１１ｂは、薄い平板で形成されており、第二載置部１２ｂの上面の後方向側に位置するように、第二載置部１２ｂと一体に形成されている。
【００４０】
図３に示すように、第二挟持部１１ｂには、第一本体１０ｆと係合し、面発光部２０を固定するための係合穴１３ｈが形成されている。係合穴１３ｈは、第二挟持部１１ｂの内側面から後方向（矢印Ｂ方向）に窪むように形成された円筒形形状の穴である。図４に示すように、係合穴１３ｈは、面発光部２０の貫通孔２３と、第一本体１０ｆの係合突起１３ｆに対応する位置に合わせて、所定の間隔で５つ形成されている。
【００４１】
図３に示すように、第二載置部１２ｂは、第二挟持部１１ｂより肉厚の平板で形成されており、第二挟持部１１ｂと一体に形成されている。第二載置部１２ｂは、第一本体１０ｆと第二本体１０ｂとが係合している状態のときに、その上面に基板３１が載置される。第一本体１０ｆと第二本体１０ｂを組み合わせたとき、第一挟持部１１ｆと第二挟持部１１ｂとの間の寸法は、面発光部２０の厚み寸法と同一又は略小さくなるように形成されている。
【００４２】
〔面発光部２０〕
図１及び４に示すように、面発光部２０は、本体部１０に着脱自在に取り付けられ、ＬＥＤ３０から発光された光で、少なくとも表面が面発光する導光板のシートである。なお、面発光部２０の前方向（矢印Ｆ方向）側の面を表面とし、後方向（矢印Ｂ方向）側の面を裏面として説明をする。本例において、面発光部２０は、光を透過する透明なアクリル樹脂で形成された薄い平板である。
【００４３】
図４に示すように、面発光部２０は、円周部２１と、円周部２１上の２点を結ぶ弦に沿って切り欠かれた弦部２２とからなる略円形形状である。図３及び４に示すように、面発光部２０には、係合突起１３ｆを挿通し、第一本体１０ｆと第二本体１０ｂと係合するための貫通孔２３が形成されている。貫通孔２３は、面発光部２０の表面から裏面にかけて貫通するように形成された円筒形形状の孔である。
【００４４】
図４に示すように、貫通孔２３は、第一本体１０ｆの係合突起１３ｆと、第二本体１０ｂの係合穴１３ｈに対応する位置に合わせて、弦部２２に沿うように所定の間隔で５つ形成されている。面発光部２０は、その表面に絵画、写真、図形、記号、文字及びキャラクターその他の模様が施されている。本例において、面発光部２０に施されている模様は、数種類の模様部６０である。
【００４５】
〔ＬＥＤ３０〕
ＬＥＤ３０は、面発光部２０の光源であり、可視光を発光する発光ダイオードである。図４に示すように、ＬＥＤ３０は、板状に形成された基板３１に７つ取り付けられている。本例のＬＥＤ３０は、赤、緑、青の３色の発光素子から構成されており、１つで複数の色を発光できる一灯多色タイプのものである。ＬＥＤ３０は、電力供給量、電力供給間隔又は電力供給時間等を変化させることにより、点灯、消灯、点滅又は調光をすることができる。
【００４６】
また、ＬＥＤ３０は、発光させる発光素子を変化させることにより、発光する光の色を変化させる調色をすることできる。基板３１は、図１に示すように、面発光部２０が本体部１０に固定されたときに、弦部２２に対向する位置に設置されるように、第一載置部１２ｆに固定されている。ＬＥＤ３０は、面発光部２０が本体部１０に固定されたときに、弦部２２に向かって光を照射できるように、弦部２２に対向する位置に設置されるように、基板３１に取り付けられている。基板３１は、電源線等で電池収納部１４に収納されたボタン電池ＢＢに、電源ボタンＢ１を介して接続されている（図示せず）。
【００４７】
〔ドットパターン４０〕
図５及び６に示すように、面発光部２０の裏面には、面発光部２０を平面光源化するためのドットパターン４０が形成されている。ドットパターン４０は、ＬＥＤ３０から照射された光を面発光部２０の表面側に反射して、面発光部２０を平面光源化するパターンである。本例において、ドットパターン４０は、複数のドット４１と複数の接続部４２とから構成されている。ドット４１及び接続部４２は、シルク印刷により蛍光インキが印刷されて形成されている。
【００４８】
図５及び６に示すように、ドット４１は、導光シート３３の裏面から後方向側に突出するように形成された微細な半円球形状のレンズ型に形成されている。接続部４２は、一のドット４１と他のドット４１とを繋ぐ部材である。ドット４１は、接続部４２で繋げられることで、光の反射効率が良くなる。本例においては、図５に示すように１つのドット４１を中心として、その上下左右に４つのドット４１が接続部４２に繋がれている。
【００４９】
〔把持部５０〕
把持部５０は、使用者が把持するための部材である。図１乃至３に示すように、把持部５０は、ＡＢＳ樹脂で形成され、着脱自在な第一把持部５０ｆと第二把持部５０ｂとから構成されている。なお、第一把持部５０ｆの前方向（矢印Ｆ方向）側の面を外側面とし、後方向（矢印Ｂ方向）側の面を内側面として説明をする。また、第二把持部５０ｂの前方向（矢印Ｆ方向）側の面を内側面とし、後方向（矢印Ｂ方向）側の面を外側面として説明をする。
【００５０】
図４に示すように、第一把持部５０ｆは、一端が第一本体１０ｆの円弧の底に取り付けられた棒状の部材である。図３に示すように、第一把持部５０ｆの内側面には、第二把持部５０ｂと係合するための係合突起５１ｆが形成されている。係合突起５１ｆは、第一把持部５０ｆの内側面から後方向（矢印Ｂ方向）に突出するように形成された円筒形形状の突起である。図３に示すように、係合突起５１ｆは、第二把持部５０ｂの係合穴５１ｈに対応する位置に合わせて、所定の間隔で２つ形成されている。
【００５１】
図４に示すように、第二把持部５０ｂは、一端が第二本体１０ｂの円弧の底に取り付けられた棒状の部材である。図３に示すように、第二把持部５０ｂの内側面には、第一把持部５０ｆと係合するための係合穴５１ｈが形成されている。係合穴５１ｈは、第二把持部５０ｂの内側面から後方向（矢印Ｂ方向）に窪むように形成された円筒形形状の穴である。図３に示すように、係合穴５１ｈは、第一把持部５０ｆの係合突起５１ｆに対応する位置に合わせて、所定の間隔で２つ形成されている。
【００５２】
〔模様部６０〕
本例において模様部６０は、図１に示すように、文字模様６１と、星模様６２と、花火模様６３とがある。文字模様６１は、面発光部２０の表面に印刷されている模様であり、光が透過しないカラーインキを用いて、スクリーン印刷で印刷されている。本例において、文字模様６１は、「祭」の文字がスクリーン印刷で印刷されているが、他の印刷方法でも良く、フレキソ印刷、インクジェット印刷、グラビア印刷及び、オフセット印刷等でも良い。
【００５３】
星模様６２は、面発光部２０に着脱自在に貼ることができるポリプロピレン製のシールであり、その模様に応じて透過部６２ｔと着色部６２ｐとから形成されている。透過部６２ｔは、光を透過する透明の部位であり、着色部６２ｐは、光が透過するとともに光の色を変える部位である。星模様６２は、星形状が記載された部分が着色部６２ｐであり、他の部分が透過部６２ｔである。着色部６２ｐは、光が透過するカラーインキを用いて、スクリーン印刷で印刷されている。
【００５４】
花火模様６３は、面発光部２０に着脱自在に貼ることができるポリプロピレン製のシールであり、その模様に応じて透過部６３ｔと半透過部６３ｓｔとから形成されている。透過部６３ｔは、光を透過する透明の部位であり、半透過部６３ｓｔは、光が少し透過する部位である。花火模様６３は、花火形状が記載された部分が半透過部６３ｓｔであり、他の部分が透過部６３ｔである。半透過部６３ｓｔは、光が少し透過するカラーインキを用いて、スクリーン印刷で印刷されている。
【００５５】
〔記憶部１００〕
記憶部１００は、ＬＥＤ３０の発光の状態を制御する一又は複数の発光パターンが記録される装置である。記憶部１００は、図４に示すように、第一挟持部１１ｆの所定の箇所に収納されている。本例において、記憶部１００は、フラッシュメモリ等の半導体不揮発性メモリで構成されている。発光パターンには、ＬＥＤ３０の点灯、消灯、点滅、発光色の変更及び輝度の変更等のパターンがある。
【００５６】
発光パターンには、例えば、白色点灯パターン、青色点滅パターン及び赤色点滅パターンがある。白色点灯パターンは、ＬＥＤ３０を白色に点灯させるパターンである。また、青色点滅パターンは、ＬＥＤ３０を青色に５秒間隔で点滅させるパターンである。さらに、赤色点滅パターンは、ＬＥＤ３０を赤色に１秒間隔で点滅させるパターンである。
【００５７】
〔制御部２００〕
制御部２００は、ＬＥＤ３０の発光パターンの制御を行なうものであり、例えばＣＰＵ（Ｃｅｎｔｒａｌ  Ｐｒｏｃｅｓｓｉｎｇ  Ｕｎｉｔ）がこれに該当する。制御部２００は、図４に示すように、第一挟持部１１ｆの所定の箇所に収納されている。制御部２００は、記憶部１００より発光パターンを読み出して、ＬＥＤ３０に対して電力供給量、電力供給間隔、電力供給時間を変える。
【００５８】
制御部２００は、読出された発光パターンに応じて、ＬＥＤ３０の点灯、消灯、点滅又は調光を制御する。制御部２００は、記憶部１００より発光パターンを読み出して、ＬＥＤ３０に対して発光させる発光素子を変える。制御部２００は、読出された発光パターンに応じて、ＬＥＤ３０の発光色を制御する。制御部２００は、読出された発光パターンに応じて、ＬＥＤ３０の輝度を制御する。
【００５９】
〔実施の形態１のうちわ１の使用方法〕
次に、うちわ１の使用方法について図１及び図７に基づいて説明する。図７は、うちわ１を使用した状態を示す図である。まず、うちわ１は、面発光部２０を本体部１０に取り付けて組み合わせられる。図３に示すように、第一本体１０ｆと第二本体１０ｂとを対向する位置に合わせて、係合突起１３ｆを係合穴１３ｈに係合する。係合突起１３ｆを係合穴１３ｈに係合すると、第一本体１０ｆと第二本体１０ｂが組み合わさる。第一把持部５０ｆと第二把持部５０ｂとを対向する位置に合わせて、係合突起５１ｆを係合穴５１ｈに係合する。
【００６０】
係合突起５１ｆを係合穴５１ｈに係合すると、第一把持部５０ｆと第二把持部５０ｂが組み合わさる。このとき、面発光部２０の貫通孔２３に係合突起１３ｆを挿通し、面発光部２０を第一挟持部１１ｆと第二挟持部１１ｂとで挟み込む。第一本体１０ｆと第二本体１０ｂを組み合わせたとき、第一挟持部１１ｆと第二挟持部１１ｂとの間の寸法は、面発光部２０の厚み寸法と同一又は略小さくなるように形成されている。
【００６１】
このため、面発光部２０は、第一挟持部１１ｆと第二挟持部１１ｂの間で、本体部１０にしっかりと固定される。図１に示すように、面発光部２０が本体部１０に固定されると、弦部２２は基板３１に対向する位置に設置され、弦部２２は７つのＬＥＤ３０に対向する位置に設置される。組み合わせたうちわ１の電源ボタンＢ１をＯＦＦからＯＮにすると、制御部２００は、記憶部１００から発光パターンを読み込む。
【００６２】
例えば、切替ボタンＢ２が一度も押されていない場合は、制御部２００は、記憶部１００から白色点灯パターンを読み込む。また、切替ボタンＢ２が一度押された場合は、制御部２００は、記憶部１００から青色点滅パターンを読み込む。さらに、切替ボタンＢ２が二度押された場合は、制御部２００は、記憶部１００から赤色点滅パターンを読み込む。制御部２００は、記憶部１００から読み込まれた発光パターンに応じて、ＬＥＤ３０を発光させる。
【００６３】
制御部２００は、白色点灯パターンが読み込まれているときは、ＬＥＤ３０に電力を安定した状態で供給しつつ、ＬＥＤ３０の赤、緑、青の発光素子を発光させる。このため、ＬＥＤ３０は、白色に点灯した状態になる。制御部２００は、青色点滅パターンが読み込まれているときは、ＬＥＤ３０に電力を５秒間隔で供給しつつ、ＬＥＤ３０の青の発光素子のみを発光させる。このため、ＬＥＤ３０は、青色に５秒間隔で点滅した状態になる。
【００６４】
制御部２００は、赤色点滅パターンが読み込まれているときは、ＬＥＤ３０に電力を１秒間隔で供給しつつ、ＬＥＤ３０の赤の発光素子のみを発光させる。このため、ＬＥＤ３０は、赤色に１秒間隔で点滅した状態になる。制御部２００は、記憶部１００からの発光パターンに応じて、ＬＥＤ３０の発光を変えることができる。ＬＥＤ３０が発光すると、その光は、面発光部２０の弦部２２に照射される。
【００６５】
面発光部２０の弦部２２から入射したＬＥＤ３０の光は、面発光部２０の内部で表面側と裏面側に向かう。面発光部２０の裏面側に照射された光は、ドット４１で反射されて、面発光部２０の表面側に向かう。ドット４１は、蛍光インキが印刷されているため、光の反射効率が良い。ドット４１は、接続部４２でつなげられているため、光の反射効率が良い。このように、ＬＥＤ３０の光は、面発光部２０の内部で反射を繰り返すことで、図７に示すように、面発光部２０の表面が全面にわたって面発光する。
【００６６】
図７に示すように、面発光部２０の表面から発光される光は、様々な方向を向いた状態で照射される。面発光部２０の表面から発光される光は、文字模様６１で遮断され、透過部６２ｔ、着色部６２ｐ、透過部６３ｔ、半透過部６３ｓｔを透過する。面発光部２０に照射された光は、透過部６２ｔをほぼそのまま透過し、着色部６２ｐを透過すると色を変え、半透過部６３ｓｔを透過すると穏やかな色に変る。
【００６７】
図７に示すように、ＬＥＤ３０の発光は、第一本体１０ｆと第二本体１０ｂに遮断されるため、うちわ１の本体部１０は光らない。本体部１０が発光を遮断するため、光源であるＬＥＤ３０が目立つことがない。そして、うちわ１の表面は、図７に示すように、本体部１０、把持部５０及び文字模様６１の部分を除いて面発光する。このように、うちわ１は、面発光するため文字模様６１が目立つ。
【００６８】
制御部２００は、白色点灯パターンが読み込まれているときは、ＬＥＤ３０を白色に点灯するため、面発光部２０は、白色に面発光する。また、青色点滅パターンが読み込まれているときは、ＬＥＤ３０を青色に５秒間隔に点滅するため、面発光部２０は、青色に５秒間隔に面発光する。さらに、赤色点滅パターンが読み込まれているときは、ＬＥＤ３０を赤色に１秒間隔に点滅するため、面発光部２０は、赤色に１秒間隔に面発光する。
【００６９】
このように構成されたうちわ１は、面発光部２０が面発光することによって、点光源とは異なる視覚的な演出効果が生じる。本例において、うちわ１は、切替ボタンＢ２の押された回数に応じて発光パターンを変えている。しかし、これに限らず、例えば、時間や温度に応じて発光パターンを変えても良いし他の状況に応じて発光パターンを変えても良い。
【００７０】
本例においては、模様部６０は、面発光部２０に印刷された文字模様６１、面発光部２０に貼られた星模様６２及び花火模様６３で説明をした。しかし、これに限らず、模様部６０は、他の方法により形成されても良い。例えば、面発光部２０の表面を、レーザー彫刻等により彫刻を施すことで、模様を形成しても良い。面発光部２０の表面を、化学薬品などの腐食作用を利用し表面加工を施すことで、模様を形成しても良い。
【００７１】
また、面発光部２０に貼られた模様は、星模様６２及び花火模様６３に限らなくても良く、他の模様でも良い。例えば、模様部６０は、コンサートの会場で使用者が応援したい芸能人の名前、芸能人の写真等であっても良い。面発光部２０は、着脱自在であり交換可能であるため、様々な模様を用意することで、自由に選択することができ、長い間飽きがこない。
【００７２】
〔本発明の実施の形態２〕
次に、本発明の実施の形態２を図面に基づいて詳細に説明する。なお、この実施の形態２のうちわ１０１は、前述した実施の形態１のうちわ１とほぼ同様の構成であるので、異なる構成についてのみ説明をする。図８は、本発明の実施の形態２のうちわ１０１を分解した状態を示す断面図である。うちわ１は、図８に示すように、面発光部２０の裏面に反射シート７０が重ねられ、面発光部２０の表面に拡散シート９０と集光シート８０が重ねられている。
【００７３】
〔本体部１１０〕
第一本体１１０ｆは、第一本体１０ｆとほぼ同様の構成であり、第二本体１１０ｂは、第二本体１０ｂとほぼ同様の構成である。第一本体１１０ｆと第二本体１１０ｂを組み合わせたとき、第一挟持部１１１ｆと第二挟持部１１１ｂとの間の寸法は、面発光部２０、反射シート７０、集光シート８０及び拡散シート９０を重ねた厚み寸法と同一又は略小さくなるように形成されている。
【００７４】
基板３１は、図８に示すように、面発光部２０、反射シート７０、集光シート８０及び拡散シート９０が、本体部１１０に固定されたときに、弦部２２に対向する位置に設置されるように、第二載置部１１２ｂに固定されている。ＬＥＤ３０は、面発光部２０、反射シート７０、集光シート８０及び拡散シート９０が、本体部１０に固定されたときに、弦部２２に向かって光を照射できるように、弦部２２に対向する位置に設置されるように、基板３１に取り付けられている。
【００７５】
〔反射シート７０〕
反射シート７０は、面発光部２０の裏面から外部に漏れる光を反射して、再び面発光部２０に戻すためのシートである。反射シート７０は、アルミニウム板又は箔から形成されている。反射シート７０は、図８に示すように、面発光部２０の裏面全体を覆うように面発光部２０と同様の形状に形成されている。反射シート７０は、光を反射するのであればアルミニウムではなく、ポリエステルフィルム等の他の部材であっても良い。
【００７６】
図８に示すように、反射シート７０には、係合突起１１３ｆを挿通し、第一本体１０ｆと第二本体１０ｂと係合するための貫通孔７１が形成されている。貫通孔７１は、反射シート７０の表面から裏面にかけて貫通するように形成された円筒形形状の孔である。図４に示すように、貫通孔７１は、第一本体１１０ｆの係合突起１１３ｆと、第二本体１１０ｂの係合穴１１３ｈに対応する位置に合わせて、弦部７２に沿うように所定の間隔で５つ形成されている。
【００７７】
〔拡散シート９０〕
拡散シート９０は、面発光部２０から照射される光の均一性を向上させるためのシートである。拡散シート９０は、面発光部２０と集光シート８０との間に取り付けられている。拡散シート９０は、図８に示すように、面発光部２０の表面全体を覆うように面発光部２０と同様の形状に形成されている。拡散シート９０は、拡散コーティングされた半透明のポリエステルフィルム等から形成されている。
【００７８】
図８に示すように、拡散シート９０には、係合突起１１３ｆを挿通し、第一本体１０ｆと第二本体１０ｂと係合するための貫通孔９１が形成されている。貫通孔９１は、拡散シート９０の表面から裏面にかけて貫通するように形成された円筒形形状の孔である。図４に示すように、貫通孔９１は、第一本体１１０ｆの係合突起１１３ｆと、第二本体１１０ｂの係合穴１１３ｈに対応する位置に合わせて、弦部９２に沿うように所定の間隔で５つ形成されている。
【００７９】
〔集光シート８０〕
集光シート８０は、拡散シート９０から照射される光を一の方向に集めて、面発光部２０に光を効率よく照射するための透明なシートである。集光シート８０は、拡散シート９０の表面全体を覆うように設置されている。集光シート８０は、図８に示すように、拡散シート９０の表面全体を覆うように拡散シート９０と同様の形状に形成されている。
【００８０】
集光シート８０は、微細な三角柱が並列するように形成されているアクリル樹脂製のプリズムシート等から構成されている（図示せず）。このような集光シート８０は、２枚のプリズムシートの三角柱が交差するように重ねたものでも良い。なお、集光シート８０は、微細な三角柱が並列されたものに限らず、微細な楕円柱が並列されているもの等でも良い。
【００８１】
図８に示すように、集光シート８０には、係合突起１１３ｆを挿通し、第一本体１０ｆと第二本体１０ｂと係合するための貫通孔８１が形成されている。貫通孔８１は、集光シート８０の表面から裏面にかけて貫通するように形成された円筒形形状の孔である。図８に示すように、貫通孔８１は、第一本体１１０ｆの係合突起１１３ｆと、第二本体１１０ｂの係合穴１１３ｈに対応する位置に合わせて、弦部８２に沿うように所定の間隔で５つ形成されている。
【００８２】
〔実施の形態２のうちわ１０１の使用方法〕
うちわ１０１は、面発光部２０の裏面に反射シート７０が取り付けられているため、ドット４１をすり抜けて面発光部２０より漏れた光が、反射シート７０で反射されて、面発光部２０の表面側に向かう。つまり、反射シート７０は、弦部２２から入射したＬＥＤ３０の光を漏らすことなく面発光部２０の表面側に向ける。うちわ１０１は、面発光部２０の表面に拡散シート９０が取り付けられているため、うちわ１と比較して、端部まで均一に明るさが保たれる。
【００８３】
つまり、面発光部２０から拡散シート９０に光が照射されると、照射された光は四方八方へ拡散され、均一な光を集光シート８０に照射する。うちわ１０１は、拡散シート９０の表面に集光シート８０が取り付けられているため、うちわ１と比較して、前方向に集光された光が照射される。つまり、集光シート８０に入射した光は、集光シート８０に対して前方向（Ｆ方向）に向かうように集光されて、面発光部２０を照射する。このため、うちわ１０１は、うちわ１と比較して、弦部２２から入射したＬＥＤ３０の光が漏れることなく、均一な光が集光されて面発光する。
【００８４】
なお、拡散シート９０は、照射された光を拡散すれば良く、拡散コーティングされたものに限らない。例えば、拡散シート９０は、表面又は裏面に細かい凹凸が形成されて、照射された光を四方八方へ拡散するものでも良い。また、拡散シート９０は、乳白ガラスや白色塗装面のように、透明体に屈折率の異なる微粒子を混入して、照射された光を拡散するものでも良い。
【００８５】
〔本発明の実施の形態３〕
次に、本発明の実施の形態３を図面に基づいて詳細に説明する。なお、この実施の形態３のうちわ２０１は、前述した実施の形態１のうちわ１とほぼ同様の構成である。このため、本体部２１０に取り付けられる紫外線ＬＥＤ２３０と、面発光部２２０の表面に印刷される不可視模様部２６０についての説明をする。なお、本例において、記憶部１００には、紫外線ＬＥＤ２３０を５秒間隔で点滅させる紫外線点滅パターンが記憶されている。図９は、本発明の実施の形態３のうちわ２０１を分解した状態を示す断面図である。図１０は、うちわ２０１を使用した状態を示す図である。
【００８６】
〔紫外線ＬＥＤ２３０〕
紫外線ＬＥＤ２３０は、面発光部２２０の光源であり、人の目ではほとんど見えない紫外線を発光する紫外線発光ダイオードである。紫外線ＬＥＤ２３０は、電力供給量、電力供給間隔又は電力供給時間等を変化させることにより、点灯、消灯、点滅又は調光をすることができる。基板２３１は、図９に示すように、面発光部２２０が本体部２１０に固定されたときに、弦部２２２に対向する位置に設置されるように第一載置部２１２ｆに固定されている。
【００８７】
紫外線ＬＥＤ２３０は、面発光部２２０が本体部２１０に固定されたときに、弦部２２２に向かって光を照射できるように、弦部２２２に対向する位置に設置されるように、基板２３１に取り付けられている。基板２３１は、電源線等で電池収納部１４に収納されたボタン電池ＢＢに、電源ボタンＢ１を介して接続されている（図示せず）。
【００８８】
〔不可視模様部２６０〕
図１０に示すように、面発光部２２０は、その表面に不可視インキで印刷された不可視模様部２６０が施されている。不可視インキは、塗った時点、もしくは少し時間をおいた後に見えなくなる物質を使ったインキであり、紫外線を照射すると蛍光に発光するインキである。不可視模様部２６０は、面発光部２２０の表面に、猫の顔をかたどった模様であり、不可視インキを用いてスクリーン印刷で印刷されている。
【００８９】
本例において、不可視模様部２６０は、スクリーン印刷で印刷されているが、他の印刷方法でも良く、フレキソ印刷、インクジェット印刷、グラビア印刷及び、オフセット印刷等でも良い。なお、不可視模様部２６０は、実施の形態１の星模様６２や花火模様６３と同様に、透明なシールに不可視インキで印刷をしたものを用いても良い。
【００９０】
〔実施の形態３のうちわ２０１の使用方法〕
図１０（ａ）に示すように、不可視模様部２６０は、紫外線ＬＥＤ２３０が発光していない状態では、目で見ることはほぼできない。組み合わせたうちわ２０１の電源ボタンＢ１をＯＦＦからＯＮにすると、制御部２００は、記憶部１００から紫外線点滅パターンを読み込む。制御部２００は、記憶部１００から読み込まれた発光パターンに応じて、紫外線ＬＥＤ２３０を発光させる。
【００９１】
制御部２００は、紫外線点滅パターンが読み込まれているときは、紫外線ＬＥＤ２３０に電力を５秒間隔で供給する。このため、紫外線ＬＥＤ２３０は、５秒間隔で点滅した状態になる。制御部２００は、記憶部１００から発光パターンに応じて、紫外線ＬＥＤ２３０の発光を変えることができる。紫外線ＬＥＤ２３０が発光すると、その光は、面発光部２２０の弦部２２２に照射され、面発光部２２０の表面が全面にわたって面発光する。
【００９２】
面発光部２２０は、紫外線点滅パターンが読み込まれているため、紫外線ＬＥＤ２３０が５秒間隔で点滅し、５秒間隔に面発光する。面発光部２２０の表面から発光される光は、様々な方向を向いた状態で照射される。面発光部２２０の表面から発光される光は、不可視模様部２６０に照射され、図１０（ｂ）に示すように、不可視模様部２６０を蛍光に発光する。面発光部２２０の表面から照射される光は、紫外線であり人の目ではほとんど見えないため、不可視模様部２６０の部分のみが発光して見える。
【００９３】
特に夜は、透明な面発光部２２０も見え辛くなるため、不可視模様部２６０の部分のみが浮き出るように発光して見える。このように構成されたうちわ２０１は、面発光部２２０の不可視模様２６０部分のみが発光して見えることによって、点光源とは異なる視覚的な演出効果が生じる。本例においてうちわ２０１は、５秒間隔で点滅する発光パターンである紫外線点滅パターンに応じて面発光している。しかし、これに限らず、例えば、切替ボタンＢ２の押された回数や温度に応じて発光パターンを変えても良いし、他の状況に応じて発光パターンを変えても良い。
【００９４】
本例において、紫外線ＬＥＤ２３０は、紫外線を発光する紫外線発光ダイオードで説明を行なったが、人の目でほとんど見えない不可視光を発光する他の照明でもよい。例えば、赤外線を発光するブラックライトでもよい。不可視模様部２６０は、紫外線が照射されると蛍光に発光する不可視インキを使用しているが、他の不可視光が照射されると発光するインキで印刷されても良い。例えば、赤外線が照射される発光するインキで印刷されていても良い。
【００９５】
〔本発明の実施の形態４〕
次に、本発明の実施の形態４を図面に基づいて詳細に説明する。なお、この実施の形態４のうちわ３０１は、前述した実施の形態３のうちわ２０１とほぼ同様の構成である。このため、本体部３１０に取り付けられる第一紫外線ＬＥＤ３３０、第二紫外線ＬＥＤ３３０’、第一面発光部３２０及び第二面発光部３２０’について説明する。
【００９６】
なお、本例において、記憶部１００には、第一紫外線ＬＥＤ３３０と第二紫外線ＬＥＤ３３０’を５秒間隔で交互に点灯させる交互点灯パターンが記憶されている。図１１は、本発明の実施の形態４のうちわ３０１を分解した状態を示す断面図である。図１２は、第一面発光部３２０と第二面発光部３２０’の正面図である。図１３は、第一面発光部３２０と第二面発光部３２０’の背面図である。図１４は、うちわ３０１を使用した状態を示す図である。
【００９７】
〔本体部３１０〕
図１１に示すように、第一本体３１０ｆは、第一本体１０ｆとほぼ同様の構成であり、第二本体３１０ｂは、第二本体１０ｂとほぼ同様の構成である。第一本体３１０ｆと第二本体３１０ｂを組み合わせたとき、第一挟持部３１１ｆと第二挟持部３１１ｂとの間の寸法は、第一面発光部３２０及び第二面発光部３２０’を重ねた厚み寸法と同一又は略小さくなるように形成されている。
【００９８】
図１１に示すように、第一基板３３１は、第一面発光部３２０及び第二面発光部３２０’が本体部３１０に固定されたときに、第一弦部３２２に対向する位置に設置されるように、第一載置部３１２ｆに固定されている。第二基板３３１’は、第一面発光部３２０及び第二面発光部３２０’が本体部３１０に固定されたときに、第二弦部３２２’に対向する位置に設置されるように、第二載置部３１２ｂに固定されている。
【００９９】
〔第一紫外線ＬＥＤ３３０、第二紫外線ＬＥＤ３３０’〕
図１１に示すように、第一紫外線ＬＥＤ３３０は、第一面発光部３２０及び第二面発光部３２０’が本体部３１０に固定されたときに、第一弦部３２２に向かって光を照射できるように、第一弦部３２２に対向する位置に設置されるように、第一基板３３１に取り付けられている。第一紫外線ＬＥＤ３３０は、第一面発光部３２０の光源であり、人の目ではほとんど見えない紫外線を発光する紫外線発光ダイオードである。
【０１００】
第二紫外線ＬＥＤ３３０’は、第一面発光部３２０及び第二面発光部３２０’が本体部３１０に固定されたときに、第二弦部３２２’に向かって光を照射できるように、第二弦部３２２’に対向する位置に設置されるように、第二基板３３１’に取り付けられている。第二紫外線ＬＥＤ３３０’は、第二面発光部３２０’の光源であり、人の目ではほとんど見えない紫外線を発光する紫外線発光ダイオードである。
【０１０１】
〔第一不可視模様部３６０〕
図１２（ａ）に示すように、第一面発光部３２０は、その表面に不可視インキで印刷された第一不可視模様部３６０が施されている。第一不可視模様部３６０は、第一面発光部３２０の表面に、猫がたっている姿を正面からとらえた模様であり、不可視インキを用いてスクリーン印刷で印刷されている。なお、第一不可視模様部３６０は、実施の形態１の星模様６２や花火模様６３と同様に、透明なシールに不可視インキで印刷をしたものを用いても良い。
【０１０２】
〔第二不可視模様部３６０’〕
図１２（ｂ）に示すように、第二面発光部３２０’は、その表面に不可視インキで印刷された第二不可視模様部３６０’が施されている。第二不可視模様部３６０’は、第二面発光部３２０’の表面に、猫が伸びをしている姿を正面からとらえた模様であり、不可視インキを用いてスクリーン印刷で印刷されている。なお、第二不可視模様部３６０’は、実施の形態１の星模様６２や花火模様６３と同様に、透明なシールに不可視インキで印刷をしたものを用いても良い。
【０１０３】
〔ドットパターン３４０、３４０’〕
図１３（ａ）に示すように、ドットパターン３４０は、第一不可視模様部３６０が印刷されている部分の真裏に位置するように、第一面発光部３２０の裏面に形成される。ドットパターン３４０は、第一不可視模様部３６０を覆うように形成されている。図１３（ｂ）に示すように、ドットパターン３４０’は、第二不可視模様部３６０’が印刷されている部分の真裏に位置するように、第二面発光部３２０’の裏面に形成される。ドットパターン３４０’は、第二不可視模様部３６０’を覆うように形成されている。
【０１０４】
〔実施の形態４のうちわ３０１の使用方法〕
図１２（ａ）に示すように、第一不可視模様部３６０は、第一紫外線ＬＥＤ３３０が発光していない状態では、目で見ることはほぼできない。図１２（ｂ）に示すように、第二不可視模様部３６０’は、第二紫外線ＬＥＤ３３０’が発光していない状態では、目で見ることはほぼできない。組み合わせたうちわ３０１の電源ボタンＢ１をＯＦＦからＯＮにすると、制御部２００は、記憶部１００から交互点灯パターンを読み込む。
【０１０５】
制御部２００は、交互点灯パターンが読み込まれているので、第一紫外線ＬＥＤ３３０に電力を５秒間だけ供給する。このため、第一紫外線ＬＥＤ３３０は、５秒間点灯した状態になる。第一紫外線ＬＥＤ３３０が発光すると、その光は、第一面発光部３２０の第一弦部３２２に照射され、第一面発光部３２０の表面が全面にわたって面発光する。第一面発光部３２０は、交互点灯パターンが読み込まれているため、第一紫外線ＬＥＤ３３０が５秒間点灯し、５秒間面発光する。
【０１０６】
第一面発光部３２０の表面から発光される光は、第一不可視模様部３６０に照射され、図１４（ａ）に示すように、第一不可視模様部３６０を蛍光に発光する。第一面発光部３２０の表面から照射される光は、紫外線であり人の目ではほとんど見えないため、第一不可視模様部３６０の部分のみが発光して見える。ドットパターン３４０は、第一不可視模様部３６０の真裏にのみ位置しているので、第二不可視模様部３６０’を発光させることなく、第一不可視模様部３６０のみを発光させる。
【０１０７】
次に、制御部２００は、第一紫外線ＬＥＤ３３０の電力の供給を止める。このため、第一紫外線ＬＥＤ３３０が消灯し、第一面発光部３２０の表面の面発光が消灯し、第一不可視模様部３６０の発光が消灯する。そして、制御部２００は、第二紫外線ＬＥＤ３３０’に電力を５秒間だけ供給する。このため、第二紫外線ＬＥＤ３３０’は、５秒間点灯した状態になる。
【０１０８】
第二紫外線ＬＥＤ３３０’が発光すると、その光は、第二面発光部３２０’の第二弦部３２２’に照射され、第二面発光部３２０’の表面が全面にわたって面発光する。第二面発光部３２０’は、交互点灯パターンが読み込まれているため、第二紫外線ＬＥＤ３３０’が５秒間点灯し、５秒間面発光する。第二面発光部３２０’の表面から発光される光は、第二不可視模様部３６０’に照射され、図１４（ｂ）に示すように、第二不可視模様部３６０’を蛍光に発光する。
【０１０９】
第二面発光部３２０’の表面から照射される光は、紫外線であり人の目ではほとんど見えないため、第二不可視模様部３６０’の部分のみが発光して見える。ドットパターン３４０’は、第二不可視模様部３６０’の真裏にのみ位置しているので、第一不可視模様部３６０を発光させることなく、第二不可視模様部３６０’のみを発光させる。
【０１１０】
このように、制御部２００は、交互点灯パターンが読み込まれているので、５秒間隔で、第一紫外線ＬＥＤ３３０と第二紫外線ＬＥＤ３３０’に交互に電力を供給する。そして、第一不可視模様部３６０と第二不可視模様部３６０’とが、交互に発光して見える。このため、猫がたっている姿を正面からとらえた模様と猫が伸びをしている姿を正面からとらえた模様が、交互に発光するため、猫が動いているように見える。
【０１１１】
第一不可視模様部３６０と第二不可視模様部３６０’とは、異なる不可視光を照射すると蛍光に発光するようにしても良い。例えば、第一不可視模様部３６０は紫外線を照射すると蛍光に発光するようにして、第二不可視模様部３６０’は赤外線を照射すると蛍光に発光するようにしても良い。このように構成することにより、本体部３１０から照射される光を紫外線と赤外線を組み合わせることによって、うちわ３０１に現れる模様を変化させることができる。
【０１１２】
〔本発明の実施の形態５〕
次に、本発明の実施の形態５を図面に基づいて詳細に説明する。図１５は、本発明の実施の形態５のうちわ４０１を分解した状態示す断面図である。図１６は、うちわ４０１の基板５３１、面発光部５２０、遮光シート４７０及び交換模様シート４８０を分解した状態を示す図である。うちわ４０１は、図１５及び１６に示すように、面発光部４２０の裏面に基板４３１が重ねられ、面発光部４２０の表面に遮光シート４７０と交換模様シート４８０が重ねられている。
【０１１３】
実施の形態５のうちわ４０１は、前述した実施の形態１に設置されていたエッジライト方式の面発光部２０のかわりに、直下型方式の面発光部４２０が設置されている。また、うちわ４０１は、うちわ１と比較して、遮光シート４７０と交換模様シート４８０が設置されている。
【０１１４】
〔面発光部４２０〕
図１５及び１６に示すように、面発光部４２０は、いわゆる直下方式の発光装置であり、その裏面側にＬＥＤ４３０及び基板４３１が構成されている。本例の面発光部４２０は、裏面側に基板４３１が構成されていることにより表面側は発光するが、裏面側は発光しない片面発光型である。ＬＥＤ４３０は、面発光部４２０の光源であり、略円板状に形成された基板４３１の表面の略中央に１つ取り付けられている。
【０１１５】
図１５及び１６に示すように、基板４３１は、面発光部４２０の裏面側に取り付けられている。ＬＥＤ４３０は、面発光部４２０の裏面と向かいあうように基板４３１に取り付けられている。面発光部４２０は、その裏面に設置されたＬＥＤ４３０から発光された光を交換模様シート４８０側へ照射するためのシートである。面発光部４２０は、裏面から発光された光を均一に行き渡らせ、平面光源化するシートである。
【０１１６】
面発光部４２０の裏面には、面発光部４２０を平面光源化するためのドットパターンが形成されている。ドットパターンは、ＬＥＤ４３０から照射された光を交換模様シート４８０側に反射して、面発光部４２０を平面光源化するパターンである。ドットパターンは、実施の形態１の面発光部２０に形成されているドットパターン４０とほぼ同様であるため、詳細な説明は省略する。
【０１１７】
〔遮光シート４７０〕
遮光シート４７０は、面発光部４２０から照射される光の均一性を向上させるためのシートである。遮光シート４７０は、図１６に示すように、ＬＥＤ４３０が取り付けられた基板４３１の表面側に設置されている。遮光シート４７０は、透明又は半透明なポリエステルフィルム等から形成されており、光を遮る第一遮光部４７１、第二遮光部４７２、第三遮光部４７３及び第四遮光部４７４が印刷されている。第一遮光部４７１は、ＬＥＤ４３０の位置に合わせて遮光シート４７０の略中央に一つ形成されている。第一遮光部４７１は、光を遮る白色の遮光部材であり、円形形状に形成されている。
【０１１８】
第二遮光部４７２は、第一遮光部４７１の外周を沿うように複数形成されている。第二遮光部４７２は、光を遮る白色の遮光部材であり、第一遮光部４７１より小径の円形形状に形成されている。第三遮光部４７３は、第二遮光部４７２の外側を沿うように形成されている。第三遮光部４７３は、光を遮る白色の遮光部材であり、第二遮光部４７２より小径の円形形状に形成されている。第四遮光部４７４は、第三遮光部４７３の外側を沿うように形成されている。
【０１１９】
第四遮光部４７４は、光を遮る白色の遮光部材であり、第三遮光部４７３より小径の円形形状に形成されている。遮光シート４７０は、第一遮光部４７１、第二遮光部４７２、第三遮光部４７３及び第四遮光部４７４が徐々に小径になるように設置されている。つまり、遮光シート４７０は、光源であるＬＥＤ４３０に近い部分ほど遮光される面積が広く、外側に向かうにつれて遮光される面積が狭くなる。
【０１２０】
このため、うちわ４０１は、ＬＥＤ４３０の設置された中央部分のみが明るくならず、均一に面発光する。本例では、ＬＥＤ４３０を基板４３１の略中央に一個のみ配設しているが、これに限られるものではなくＬＥＤ４３０を複数設置しても良いし、ＬＥＤ４３０は、面発光部４２０の直下であれば任意の位置に設置することができる。遮光シート４７０は、交換模様シート４８０と基板４３１の間であればどこに設置されても良く、面発光部４２０と基板４３１の間にあっても良い。
【０１２１】
〔交換模様シート４８０〕
交換模様シート４８０は、うちわ４０１の模様が施された部材であり、本体部４１０に対して着脱自在なシートである。図１６に示すように、交換模様シート４８０は、アクリル樹脂を射出成形で形成されている。交換模様シート４８０は、円形形状の薄い平板であり、表面に絵画、写真、図形、記号、文字及びキャラクターその他の模様が印刷されている。交換模様シート４８０は、模様が記載されており、その模様に応じて、透過部４６２ｔと着色部４６２ｐとが形成されている。
【０１２２】
図１６に示すように、うちわ４０１の透過部４６２ｔと着色部４６２ｐは、実施の形態１の透過部６２ｔや着色部６２ｐとほぼ同様であるため、詳細な説明は省略する。交換模様シート４８０は、着脱自在であり交換可能であるため、様々な模様を用意することで、自由に選択することができ、長い間飽きがこない。なお、交換模様シート４８０は、アクリル樹脂に限らず、塩化ビニル樹脂、ポリプロピレン、ＡＢＳ等の他の合成樹脂で形成されていても良い。
【０１２３】
〔本発明の実施の形態６〕
次に、本発明の実施の形態６を図面に基づいて詳細に説明する。図１７は、うちわ５０１の基板５３１、面発光部５２０及び遮光シート５７０を分解した状態を示す図である。うちわ５０１は、図１７に示すように、面発光部５２０の裏面に遮光シート５７０と基板５３１が重ねらている。実施の形態６のうちわ５０１は、前述した実施の形態５に設置されていたうちわ４０１と比較して、面発光部５２０に模様部５６０が印刷されている。このため、うちわ４０１と比較して部品点数が少なくて良い。
【０１２４】
以上、本発明の種々の実施の形態を説明したが、本発明は、この実施の形態に限定されることはない。本発明の目的、趣旨を逸脱しない範囲内での変更が可能なことはいうまでもない。ＬＥＤ３０は、面発光部２０が本体部１０に固定されたときに、弦部２２に向かって光を照射できるように、弦部２２に対向する位置に設置されるように、基板３１に取り付けられている。
【０１２５】
しかし、ＬＥＤ３０は、面発光部２０の形状に応じて、他の位置に設置されても良い。つまり、面発光部２０の側面から光を照射できるのであれば、面発光部２０の他の側面に沿うように設置されても良い。本実施の形態において、ドットパターン４０は、ドット４１と接続部４２をシルク印刷により印刷することにより形成されている。しかし、蛍光インキに限らず、発光インキ及び蓄光インキを印刷して形成しても良いことは言うまでもない。蓄光インキで印刷した場合は、電力の供給がなくなっても光が残っているため動いているように見える。
【０１２６】
また、例えば、ドット４１は、ＬＥＤ３０から近い箇所では疎らに設置し、ＬＥＤ３０から遠い箇所では密に設置しても良い。このようにドット４１が設置されていることにより、面発光部２０には光が効率良く均一に行き渡り、面発光部２０が平面光源化する。面発光部２０に設置されるドット４１の径は、例えば、ＬＥＤ３０から近い部分では小さくし、遠い部分では大きくしても良い。
【０１２７】
面発光部２０に形成するドットパターン４０は、公知の他の方式で形成されていても良い。例えば、面発光部２０の裏面にスタンパーやインジェクションで凹凸をつける成形方式でも良い。把持部５０は、柄でなくとも良く、例えば、本体部１０に形成された孔や、面発光部２０に形成された孔でも良い。面発光部２０は、略円形形状なもので説明を行なったが、矩形形状等の他の形状でも良い。面発光部２０は、本体部１０に対して着脱自在なため、好みに応じて好きな形状のものを選べるようにしても良い。
【０１２８】
本発明の実施の形態２のうちわ１０１は、面発光部２０に反射シート７０、集光シート８０及び拡散シート９０が重ねられている。しかし、これらに限らず、反射シート７０、集光シート８０及び拡散シート９０のうち少なくとも１つを重ねてもよい。同様にうちわ２０１又はうちわ３０１にも反射シート７０、集光シート８０及び拡散シート９０のうち少なくとも１つを重ねてもよい。
【０１２９】
また、面発光部２０と反射シート７０をドット状の粘着剤で貼り付けた粘着ドット方式等の方式で形成されていても良い。面発光部２０に現わされた模様部６０は、公知のいかなる印刷方法で印刷されたものでも良い。例えば、グラビア輪転印刷機、オフセット輪転印刷機等によって印刷されていると良い。
【０１３０】
本発明の実施の形態４のうちわ３０１は、不可視光である紫外線を発光する第一紫外線ＬＥＤ３３０及び第二紫外線ＬＥＤ３３０’のみを光源として用いている。しかし、他の不可視光を発光する光源や可視光を発光する光源と組み合わせても良い。このように構成することにより、本体部３１０から照射される光に応じて、うちわ３０１に現れる模様を変化させることができる。
【符号の説明】
【０１３１】
１０      ：本体部
１０ｂ    ：第二本体
１０ｆ    ：第一本体
１１ｂ    ：第二挟持部
１１ｆ    ：第一挟持部
１２ｂ    ：第二載置部
１２ｆ    ：第一載置部
１３ｆ    ：係合突起
１３ｈ    ：係合穴
１４      ：電池収納部
２０      ：面発光部
２１      ：円周部
２２      ：弦部
２３      ：貫通孔
３０      ：ＬＥＤ
３１      ：基板
３３      ：導光シート
４０      ：ドットパターン
４１      ：ドット
４２      ：接続部
５０      ：把持部
５０ｂ    ：第二把持部
５０ｆ    ：第一把持部
５１ｆ    ：係合突起
５１ｈ    ：係合穴
６０      ：模様部
６１      ：文字模様
６２      ：星模様
６２ｐ    ：着色部
６２ｔ    ：透過部
６３      ：花火模様
６３ｓｔ  ：半透過部
６３ｔ    ：透過部
７０      ：反射シート
７１      ：貫通孔
７２      ：弦部
８０      ：集光シート
８１      ：貫通孔
８２      ：弦部
９０      ：拡散シート
９１      ：貫通孔
９２      ：弦部
１００    ：記憶部
１１０    ：本体部
１１０ｂ  ：第二本体
１１０ｆ  ：第一本体
１１１ｂ  ：第二挟持部
１１１ｆ  ：第一挟持部
１１２ｂ  ：第二載置部
１１３ｆ  ：係合突起
１１３ｈ  ：係合穴
２００    ：制御部
２１０    ：本体部
２１２ｆ  ：第一載置部
２２０    ：面発光部
２２２    ：弦部
２３０    ：紫外線ＬＥＤ
２３１    ：基板
２６０    ：不可視模様部
３１０    ：本体部
３１０ｂ  ：第二本体
３１０ｆ  ：第一本体
３１１ｂ  ：第二挟持部
３１１ｆ  ：第一挟持部
３１２ｂ  ：第二載置部
３１２ｆ  ：第一載置部
３２０    ：第一面発光部
３２０’  ：第二面発光部
３２２    ：第一弦部
３２２’  ：第二弦部
３３０    ：第一紫外線ＬＥＤ
３３０’  ：第二紫外線ＬＥＤ
３３１    ：第一基板
３３１’  ：第二基板
３４０    ：ドットパターン
３４０’  ：ドットパターン
３６０    ：第一不可視模様部
３６０’  ：第二不可視模様部
４１０    ：本体部
４２０    ：面発光部
４３０    ：ＬＥＤ
４３１    ：基板
４６２ｐ  ：着色部
４６２ｔ  ：透過部
４７０    ：遮光シート
４７１    ：第一遮光部
４７２    ：第二遮光部
４７３    ：第三遮光部
４７４    ：第四遮光部
４８０    ：交換模様シート
５２０    ：面発光部
５３１    ：基板
５６０    ：模様部
５７０    ：遮光シート
Ｂ１      ：電源ボタン
Ｂ２      ：切替ボタン
ＢＢ      ：ボタン電池
【図１】
2016165460.tif 000003
【図２】
2016165460.tif 000004
【図３】
2016165460.tif 000005
【図４】
2016165460.tif 000006
【図５】
2016165460.tif 000007
【図６】
2016165460.tif 000008
【図８】
2016165460.tif 000009
【図９】
2016165460.tif 000010
【図１０】
2016165460.tif 000011
【図１１】
2016165460.tif 000012
【図１２】
2016165460.tif 000013
【図１３】
2016165460.tif 000014
【図１４】
2016165460.tif 000015
【図１５】
2016165460.tif 000016
【図１６】
2016165460.tif 000017
【図１７】
2016165460.tif 000018
【図７】
2016165460.tif 000019